Podtech/llm-jp-corpus-v4-ja_patent huggingface dataset:
【手続補正書】
【提出日】平成20年4月8日(2008.4.8)
【手続補正１】
【補正対象書類名】明細書
【補正対象項目名】特許請求の範囲
【補正方法】変更
【補正の内容】
【特許請求の範囲】
【請求項１】  信号伝送中に、互いに対し回転移動可能または並進移動可能な少なくとも２つの部品の間で、これらの部品のそれぞれに設けられたビーム誘導素子またはビーム形成素子を用いて、光信号を伝送するための装置であって、
これらの素子の複数個が、一様な工程によって一構成部品から製作されるマイクロ光学システムとして構成されることを特徴とする装置。
【請求項２】  前記ビーム誘導素子または前記ビーム形成素子が、少なくとも１つ能動光学素子または受動光学素子を含むことを特徴とする請求項１に記載の装置。
【請求項３】  前記受動光学素子が、個別のレンズ、レンズアレイまたは光導波路用ガイドおよび特に光誘導ファイバを備えることを特徴とする請求項２に記載の装置。
【請求項４】  前記能動光学素子が、レーザダイオードやフォトダイオードのような送信器または受信器を個別に備えることを特徴とする請求項２または３に記載の装置。
【請求項５】  前記能動素子または受動素子が、一構成部品から同じく機械加工されていることを特徴とする請求項１〜４のいずれか１項に記載の装置。
【請求項６】  前記ビーム誘導素子または前記ビーム形成素子が、ファイバ、送信器または受信器のような結合構成要素または分離構成要素のためのガイドと共に、一構成部品から製作されていることを特徴とする請求項１〜５のいずれか１項に記載の装置。
【請求項７】  前記ビーム誘導光学素子または前記ビーム形成光学素子、およびファイバ、送信器または受信器のような前記結合構成要素または前記分離構成要素が、確実固定素子によって互いに対して正確に位置合わせされる２つの分離構造物であることを特徴とする請求項１〜６のいずれか１項に記載の装置。
【請求項８】  前記ビーム誘導光学素子または前記ビーム形成光学素子、およびファイバ、送信器または受信器のような前記結合構成要素または前記分離構成要素が、互いに対して調整可能で、その後にこの位置で固定可能な２つの分離構造物であることを特徴とする請求項１〜７のいずれか１項に記載の装置。
【請求項９】  前記ビーム誘導光学素子または前記ビーム形成光学素子、およびファイバ、送信器または受信器のような前記結合構成要素または前記分離構成要素が、互いに対して連続的に調整可能な２つの分離構造物であることを特徴とする請求項１〜８のいずれか１項に記載の装置。
【請求項１０】  前記ビーム誘導光学素子または前記ビーム形成光学素子、およびファイバ、送信器または受信器のような前記結合光学素子または前記分離構成要素が、製作時に一方が他方に対して適合可能な２つの分離構造物であることを特徴とする請求項１〜９のいずれか１項に記載の装置。
【請求項１１】  前記ビーム誘導光学素子または前記ビーム形成光学素子、およびファイバ、送信器または受信器のような前記結合構成要素または前記分離構成要素が、動作時に一方が他方に対して連続的に適合可能な２つの分離構造物（アレイ）であり、このことが、たとえば、結合素子または分離素子の位置が各素子のために個別に最適化可能であることを意味することを特徴とする請求項１〜１０のいずれか１項に記載の装置。
【請求項１２】  前記ビーム誘導光学素子または前記ビーム形成光学素子が、光活性媒体であり、レンズアレイの投影特性が、ファイバ、送信器または受信器のような前記結合素子または前記分離素子による放射のために、個別に適切に形成されていることを特徴とする請求項１〜１１のいずれか１項に記載の装置。
【請求項１３】  少なくとも１つのチャネルが軸の外側に伝送される場合には、減少回転光学システムが設けられていることを特徴とする請求項１〜１２のいずれか１項に記載の装置。
【請求項１４】  能動光学素子が、その光学特性の変化によって減少回転を生成し、回転させる必要もない減少回転システムとして作用することを特徴とする請求項１〜１３のいずれか１項に記載の装置。
【請求項１５】  光活性媒体が、減少回転用の能動光学素子として設けられていることを特徴とする請求項１〜１４のいずれか１項に記載の装置。
【請求項１６】  音響光学ドーブプリズムが、減少回転用の能動光学素子として設けられていることを特徴とする請求項１〜１５のいずれか１項に記載の装置。
【請求項１７】  受動光学素子が、その光学投影機能によって減少回転を実現し、回転させる必要もない減少回転システムとして設けられていることを特徴とする請求項１〜１６のいずれか１項に記載の装置。
【請求項１８】  受動光学素子が、反転しており、かつ２分の１の角速度で回転される減少回転システムとして用いられていることを特徴とする請求項１〜１７のいずれか１項に記載の装置。
【手続補正２】
【補正対象書類名】明細書
【補正対象項目名】００３７
【補正方法】変更
【補正の内容】
【００３７】
本発明の別の有利な実施形態において、たとえば、受動光学素子は、個別のレンズであってもよい。これは、たとえば、単独の完全なマイクロ光学コリメータを形成するために、光導体ファイバを固着するための手段によって好都合に結合されることができる。次に、任意の数のマイクロ機械高精度嵌合によって、このようなマイクロアセンブリを連続的に配置することができる。受動光学素子はレンズアレイからなることも同様に可能である。このようなレンズアレイは、１次元の好ましくは直線アレイを構成することができる。２次元のレンズアレイは、空間を節約するため、きわめて好都合である。たとえば、互いに対して側方に移動するとしても、円形または四角形のマトリクスに配置されることができる。実質的な利点を有する３次元アレイも実現することができる。さらに、光導波路のためのガイドのような受動光学素子、特に光導体ファイバも、設けることができる。これらは、１次元、２次元または３次元の構成を等しく有することができる。
【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】  熱可塑性材料を含む光硬化性組成物から作製したフレキソ印刷板前駆体を選択的に硬化させる工程と、
硬化しなかった前記熱可塑性材料の少なくとも一部を６０℃より高温で剪断力によって除去する工程と、
を含むフレキソ印刷板の製造方法。
【請求項２】  （ａ）１０から３７重量％の１種類以上のブロックコポリマー；該ブロックコポリマーが、大部分が重合した共役ジエンモノマーである少なくとも１つのブロックＢによって連結した、大部分が重合したモノビニル芳香族モノマーである少なくとも２つのブロックＡを有するブロックコポリマーであって、単独または組み合わせたもののＡＳＴＭ  Ｄ−４１２で測定した引張強さが２８ＭＰａを超え、前記Ａブロックの全重量分率は１０から３５重量％であり、
（ｂ）５０重量％を超える１種類以上のオリゴマー；当該オリゴマーが、ＢまたはＡ−Ｂの構造のオリゴマーであって、重量平均分子量が３００から１００，０００の範囲であり、単独または組み合わせたもののＡＳＴＭ  Ｄ−４１２で測定した引張強さが３ＭＰａ未満であり、前記Ａブロックの全重量分率は０から３５重量％であり、
（ｃ）前記ブロックＡと（ｃ）の全分率が２５重量％未満だが１２重量％を超える量の、少なくとも部分的にポリマーブロックＡと相溶性であるエチレン性不飽和ラジカル重合性物質と、
（ｄ）０．０１％から（ｃ）／５％の光開始剤と、
を含む（すべての重量％は光硬化性組成物の重量を基準としている）請求項１に記載の方法で使用される光硬化性組成物。
【手続補正書】
【提出日】平成20年3月31日(2008.3.31)
【手続補正１】
【補正対象書類名】特許請求の範囲
【補正対象項目名】請求項６
【補正方法】変更
【補正の内容】
【請求項６】
前記マークの反射率が前記基体の反射率の３分の１以下である請求項５に記載の測定スケールのための精密マーク生成方法。
【手続補正２】
【補正対象書類名】特許請求の範囲
【補正対象項目名】請求項２４
【補正方法】変更
【補正の内容】
【請求項２４】
前記マークの反射率が前記基体の反射率の３分の１以下である請求項２３に記載の測定スケールのための精密マーク生成装置。
【手続補正３】
【補正対象書類名】明細書
【補正対象項目名】００５７
【補正方法】変更
【補正の内容】
【００５７】
本発明によるアブレーションはまた、アブレートされる領域で低減された反射率をもつ優れた光学的コントラストを提供する。３分の１以下に低減することが可能である。
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
配列番号１で示される配列のプロモーターの制御下でニューカッスル病ウィルスのFタンパク質遺伝子を有する組換え七面鳥ヘルペスウィルス、ここで、当該組換え七面鳥ヘルペスウイルスはHN遺伝子を含まない。
【請求項２】
前記プロモーター及びFタンパク質遺伝子が、主鎖ウィルスゲノムのオープンリーディングフレームの間に存在する非翻訳領域に挿入されている請求項１記載の組換え七面鳥ヘルペスウィルス。
【請求項３】
前記非翻訳領域が、前記ヘルペスウィルスゲノムのUL45とUL46との間に位置する領域である請求項２記載の組換え七面鳥ヘルペスウィルス。
【請求項４】
鳥類ヘルペスウィルス及びニューカッスル病ウィルスに対する防御免疫を鳥類宿主において誘発するための方法であって、請求項１，２又は３のいずれか１項記載の組換え七面鳥ヘルペスウィルスを前記鳥類宿主に接種することを含んで成る方法。
【請求項５】
前記組換え七面鳥ヘルペスウィルスが、皮下経路により又はin ovoで前記鳥類宿主に投与される請求項４記載の防御免疫を付与する方法。
【請求項６】
請求項１，２、又は３のいずれか１項記載の組換え七面鳥ヘルペスウィルスを含んで成る家禽用ワクチン。
【手続補正書】
【提出日】平成20年6月13日(2008.6.13)
【手続補正１】
【補正対象書類名】明細書
【補正対象項目名】０００３
【補正方法】変更
【補正の内容】
【０００３】
Ａ型ボツリヌス毒素は顔の若返りに効果的であるが、本来は不安定な酵素である。このように不安定なため、ボツリヌス毒素の使用と取り扱いは、複雑であまり望ましくないものである。実際、使用前に凍結する必要があり、容器開封後４時間以内に使用しなければならない。Ａ型ボツリヌス毒素は酵素であるため、連続注入によるその使用を妨げる抗体が生成し、アレルギー反応も誘導する可能性がある。さらに、その結果が見られるのは７〜１０日後になり、すぐに結果を期待している患者にとっては望ましくないものである。従って、安定しており、即効性があり、酵素ではない、顔の若返り薬が必要とされている。
この出願の発明に関連する先行技術文献情報としては、以下のものがある（国際出願日以降国際段階で引用された文献及び他国に国内移行した際に引用された文献を含む）。
【特許文献６】米国特許第号４，００１，４１３明細書
【特許文献７】国際公開第９８／４３６１９号パンフレット
【特許文献７】国際公開第９８／５１２９０号パンフレット
【特許文献７】国際公開第００／２４４１９号パンフレット
【特許文献６９】欧州特許出願公開第１３６３２７５号明細書
【特許文献６９】欧州特許出願公開第１１９２９０３号明細書
【非特許文献１】Ｚｈｏｕ，ＭＩＮＪＩＡＮＧ  ｅｔ  ａｌ："Ａｐｐｌｉｃａｔｉｏｎ  ｏｆ  ｐａｒａｌｙｔｉｃ  ｓｈｅｌｌｆｉｓｈ  ｐｏｉｓｏｎｓ  （ＰＳＰ）  ｉｎ  ｐｒｅｐａｒｉｎｇ  ａｎａｌｇｅｓｉｃ  ａｇｅｎｔ"  ＸＰ００２４５４９３８  ｒｅｔｒｉｅｖｅｄ  ｆｒｏｍ  ＳＴＮ  Ｄａｔａｂａｓｅ  ａｃｃｅｓｓｉｏｎ  ｎｏ．  ２００３：５４７９６０
【非特許文献２】ＰＡＮ，  ＸＩＮＧＵ：  "Ｄｉｇｕａｎｉｄｉｎｏ  ｈｅｘａｈｙｄｒｏｐｕｒｉｎｅ  ｄｅｒｉｖａｔｉｖｅｓ  ｓａｘｉｔｏｘｉｎ，  ｎｅｏｓａｘｉｔｏｘｉｎ  ａｎｄ  ｇｏｎｙａｕｔｏｘｉｎｓ  ｕｓｅｄ  ｆｏｒ  ｔｒｅａｔｍｅｎｔ  ｏｆ  ｈｕｍａｎ  ｄｒｕｇ  ａｄｄｄｉｃｔｉｏｎ  ｗｉｔｈｄｒａｗａｌ  ｓｙｎｄｒｏｍｅ"  ＸＰ００２４５４９３９  ｒｅｔｒｉｅｖｅｄ  ｆｒｏｍ  ＳＴＮ  Ｄａｔａｂａｓｅ  ａｃｃｅｓｓｉｏｎ  ｎｏ．  ２０００；２７３７１０
【非特許文献３】ＭＡＲＩＡ  Ｇ  ｅｔ  ａｌ："Ａ  ｃｏｍｐａｒｉｓｏｎ  ｏｆ  Ｂｏｔｕｌｉｎｕｍ  Ｔｏｘｉｎ  ａｎｄ  Ｓａｌｉｎｅ  ｆｏｒ  ｔｈｅ  Ｔｒｅａｔｍｅｎｔ  ｏｆ  Ｃｈｒｏｎｉｃ  Ａｎａｌ  ｆｉｓｓｕｒｅ"  ＮＥＷ  ＥＮＧＬＡＮＤ  ＪＯＵＲＮＡＬ  ＯＦ  ＭＥＤＩＣＩＮＥ，  ＴＨＥ  ＭＡＳＳＡＣＨＵＳＥＴＴＳ  ＭＥＤＩＣＡＬ  ＳＯＣＩＥＴＹ，  ＷＡＬＴＨＡＭ，  ＭＡ  ＵＳ，  ｖｏｌ．３３８，  ｎｏ．４，  Ｊａｎｕａｒｙ  １９９８（１９９８−０１），  ｐａｇｅｓ  ２１７−２２０，
【非特許文献４】Ｈｏ  ｅｔ  ａｌ："Ｔｈｅ  ｒｏｌｅ  ｏｆ  ｂｏｔｕｌｉｎｕｍ  ｔｏｘｉｎ  Ａ  ｉｎ  ｔｈｅ  ｌｏｎｇ−ｔｅｒｍ  ｐｒｅｖｅｎｔｉｏｎ  ｏｆ  ｆａｃｉａｌ  ｗｒｉｎｋｌｅｓ：  Ａ  ｐｒｅｌｉｍｉｎａｒｙ  ｏｂｓｅｒｖａｔｉｏｎａｌ  ｒｅｐｏｒｔ"  ＯＴＯＬＡＲＹＮＧＯＬＯＧＹ  ＡＮＤ  ＨＥＡＤ  ＡＮＤ  ＮＥＣＫ  ＳＵＲＧＥＲＹ，  ＲＯＣＨＥＳＴＥＲ，  ＵＳ，  ｖｏｌ．１１７，  ｎｏ．２，Ａｕｇｕｓｔ  １９９７（１９９７−０８），ｐａｇｅ  Ｐ１６１，
【非特許文献５】Ｊｏｓｅｐｈ  Ｌ．  Ｅｄｍｏｎｄｓ，  Ｊｒ．，  ＭＤ，  Ｅ．Ｂｒｕｃｅ  Ｔｏｂｙ，  ＭＤ，  Ｋｅｖｉｎ  Ｗ．Ｂｏｗｅｒｓ，  ＭＤ，  ａｎｄ  Ｄｏｕｇｌａｓ  Ａ．Ｇｉｒｏｄ，  ＭＤ，"Ｔｏｒｓｉｏｎａｌ  Ｓｔｒｅｎｇｔｈ  ｏｆ  ｔｈｅ  Ｒａｄｉｕｓ  Ｆｏｌｌｏｗｉｎｇ  Ｏｓｔｅｏｆａｓｃｉｏｃｕｔａｎｅｏｕｓ  Ｆｒｅｅ  Ｆｌａｐ  Ｈａｒｖｅｓｔ  Ｗｉｔｈ  ａｎｄ  Ｗｉｔｈｏｕｔ  Ｐｒｉｍａｒｙ  Ｂｏｎｅ  Ｐｌａｔｉｎｇ  Ｋａｎｓａｓ  Ｃｉｔｙ
【非特許文献６】Ｐｈｉｌｉｐ  Ｔ．  Ｈｏ，  ＭＤ，  Ａｌｅｘａｎｄｅｒ  Ｍ．Ｇｏｒｕｐ，  ＭＤ，  ａｎｄ  Ｍｏｎｔｅ  Ｓ．Ｋｅｅｎ，ＭＤ，"Ｔｈｅ  Ｒｏｌｅ  ｏｆ  ｂｏｔｕｌｉｎｕｍ  Ｔｏｘｉｎ  Ａ  ｉｎ  ｔｈｅ  Ｌｏｎｇ−ｔｅｒｍ  Ｐｒｅｖｅｎｔｉｏｎ  ｏｆ  Ｆａｃｉａｌ  Ｗｒｉｎｋｌｅｓ：  Ａ  Ｐｒｅｌｉｍｉｎａｒｙ  Ｏｂｓｅｒｖａｔｉｏｎａｌ  Ｒｅｐｏｒｔ"，Ｎｅｗ  Ｙｏｒｋ，  Ｎ．Ｙ．
【誤訳訂正書】
【提出日】平成20年5月2日(2008.5.2)
【誤訳訂正１】
【訂正対象書類名】明細書
【訂正対象項目名】００２０
【訂正方法】変更
【訂正の内容】
【００２０】
（ＳＳＴＥ）
初期検出モードにおいて、追跡装置（ＳＳＴＥとも呼ぶ）１２５は、コード、周波数検出ウィンドウ、およびヒストグラムを自律的に逐次実行し、強力なサイドローブ除去と同期認証を行う。
追跡モードにおいて、ＳＳＴＥ  １２５はプルイン、狭帯域トラッキング、ビット同期、およびデータの復調を行う。機能的ブロックは、コード／コスタスロック検出、コスタス／ＡＦＣループフィルタ、コードループフィルタ、ビット同期ヒストグラム、サンプル正規化、ＳＮＲ計測、ビット復調を備える。コードロックが失われると、再検出は、再度の、正規の、待機モード、１０Ｈｚの追跡ステータスおよび復調データのソフトウェアへの出力を実行する。そのデータはコード、搬送波、ビット同期ステータス、復調されたデータビット、蓄積された｜Ｉ｜、｜Ｑ｜、コード、搬送波位相を備える。ＳＳＴＥ  １２５はソフトウェアのオーバーライド特性を用いて、全てのモード間遷移を操作する。
【誤訳訂正２】
【訂正対象書類名】図面
【訂正対象項目名】図１
【訂正方法】変更
【訂正の内容】
【図１】
2005515403.tif 000001
【手続補正書】
【提出日】平成20年10月30日(2008.10.30)
【手続補正１】
【補正対象書類名】特許請求の範囲
【補正対象項目名】請求項１
【補正方法】変更
【補正の内容】
【請求項１】
１，３−プロピレンジアミン（１，３−ＰＤＡ）を不均一系触媒の存在で連続的に反応させることによりビス（３−アミノプロピル）アミン（ジプロピレントリアミン、ＤＰＴＡ）を製造する方法において、前記反応を反応塔中で反応蒸留により実施することを特徴とする、ビス（３−アミノプロピル）アミン（ジプロピレントリアミン、ＤＰＴＡ）の製造方法。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
免疫疾患に関連する１種以上のタンパク質の細胞内レベルを変えるための、有効量のニトロキシド抗酸化剤を含む医薬組成物。
【請求項２】
免疫疾患関連タンパク質のレベルを増大させるための、請求項１に記載の医薬組成物。
【請求項３】
前記免疫疾患関連タンパク質がグルココルチコイド誘発性ロイシンジッパーである、請求項２に記載の医薬組成物。
【請求項４】
免疫疾患関連タンパク質のレベルを低下させるための、請求項１に記載の医薬組成物。
【請求項５】
前記免疫疾患関連タンパク質がコラーゲンタイプ１Ａ１及び補体成分６からなる群から選択される、請求項４に記載の医薬組成物。
【請求項６】
前記ニトロキシド抗酸化剤が、４−ヒドロキシ−２，２，６，６−テトラメチルピペリジン−１−オキシルである、請求項１〜５のいずれか一項に記載の医薬組成物。
【請求項７】
前記免疫疾患が、グレーヴズ病、橋本甲状腺炎、自己免疫多腺性症候群、インスリン依存性真性糖尿病、免疫介在性不妊症、自己免疫性アディソン病、尋常性天疱瘡、落葉状天疱瘡、疱疹状皮膚炎、白斑、自己免疫性溶血性貧血、自己免疫性血小板減少性紫斑病、悪性貧血、重症筋無力症、多発性硬化症、ギヤン−バレー症候群、スティッフマン症候群、急性リウマチ熱、交感性眼炎、グッドパスチャー症候群、全身性エリトマトーデス、関節リウマチ、全身性壊死性血管炎、ヴェーゲナー肉芽腫症、抗リン脂質症候群、シェーグレン症候群、強皮症、加速された移植後動脈硬化、移植片対宿主疾患、クローン病、及び結核からなる群から選択される、請求項１〜６のいずれか一項に記載の医薬組成物。
【請求項８】
免疫疾患に関連する遺伝子の発現を変えることによって免疫疾患の進行を抑制するための、免疫疾患に関連する遺伝子の発現を変えるために有効な量のニトロキシド抗酸化剤を含む医薬組成物。
【請求項９】
前記免疫疾患に関連するタンパク質の発現が増大する、請求項８に記載の医薬組成物。
【請求項１０】
免疫疾患に関連する前記タンパク質が、グルココルチコイド誘導性ロイシンジッパーである、請求項８又は９に記載の医薬組成物。
【請求項１１】
前記免疫疾患に関連するタンパク質の発現が低下する、請求項８に記載の医薬組成物。
【請求項１２】
免疫疾患に関連する前記タンパク質が、コラーゲンタイプ１Ａ１及び補体成分６からなる群から選択される、請求項８又は１１に記載の医薬組成物。
【請求項１３】
前記ニトロキシド抗酸化剤が４−ヒドロキシ−２，２，６，６−テトラメチルピペリジン−１−オキシルである、請求項８〜１２のいずれか一項に記載の医薬組成物。
【請求項１４】
前記疾患が、グレーヴズ病、橋本甲状腺炎、自己免疫多腺性症候群、インスリン依存性真性糖尿病、免疫介在性不妊症、自己免疫性アディソン病、尋常性天疱瘡、落葉状天疱瘡、疱疹状皮膚炎、白斑、自己免疫性溶血性貧血、自己免疫性血小板減少性紫斑病、悪性貧血、重症筋無力症、多発性硬化症、ギヤン−バレー症候群、スティッフマン症候群、急性リウマチ熱、交感性眼炎、グッドパスチャー症候群、全身性エリトマトーデス、関節リウマチ、全身性壊死性血管炎、ヴェーゲナー肉芽腫症、抗リン脂質症候群、シェーグレン症候群、強皮症、加速された移植後動脈硬化、移植片対宿主疾患、クローン病、及び結核からなる群から選択される、請求項８〜１３のいずれか一項に記載の医薬組成物。
【請求項１５】
活性剤としてニトロキシド抗酸化剤を含む、マクロファージ活性を抑制することによって免疫疾患を治療するための医薬組成物。
【請求項１６】
前記ニトロキシド抗酸化剤の量が、マクロファージ活性の抑制に関連する少なくとも１つのタンパク質の細胞内レベルを増大させるために有効な量である、請求項１５に記載の医薬組成物。
【請求項１７】
マクロファージ活性の抑制に関連する前記タンパク質が、グルココルチコイド誘発性ロイシンジッパーである、請求項１６に記載の医薬組成物。
【請求項１８】
膜攻撃性複合体の活性を抑制するために有効な量のニトロキシド抗酸化剤含む、膜攻撃性複合体の活性を抑制するための医薬組成物。
【請求項１９】
前記膜攻撃性複合体の活性の抑制に関連する少なくとも１つのタンパク質の細胞内レベルを低下させることによって、膜攻撃性複合体の活性を抑制する、請求項１８に記載の医薬組成物。
【請求項２０】
マクロファージ活性の抑制に関連するタンパク質が補体成分６である、請求項１６に記載の医薬組成物。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
心筋梗塞に起因する心臓血管系疾患に関連する１種以上のタンパク質の細胞内レベルを変えるための、有効量のニトロキシド抗酸化剤を含む医薬組成物であって、
前記ニトロキシド抗酸化剤が下記式：
【化１】
2008528704.tif 000001
（式中、Ｘは、Ｏ・及びＯＨから選択され、Ｒは、ＣＯＯＨ、ＣＯＮＨ、ＣＮ、およびＣＨ２ＮＨ２から選択される。）  
【化２】
2008528704.tif 000002
（式中、Ｘは、Ｏ・及びＯＨから選択され、Ｒ１は、ＣＨ３およびスピロシクロヘキシルから選択され、Ｒ２はＣ２Ｈ５およびスピロシクロヘキシルから選択される。）  
【化３】
2008528704.tif 000003
（式中、ＸはＯ・及びＯＨから選択され、ＲはＣＯＮＨから選択される。）、および  
【化４】
2008528704.tif 000004
（式中、ＸはＯ・及びＯＨから選択され、Ｒは、Ｈ、ＯＨ、およびＮＨ２から選択される。）
を有する化合物からなる群から選択される、医薬組成物。
【請求項２】
前記ニトロキシド抗酸化剤が、4-ヒドロキシ-2,2,6,6-テトラメチルピペリジン-1-オキシルである、請求項１に記載の医薬組成物。
【請求項３】
前記心臓血管系疾患に関連するタンパク質のレベルを上昇させ、且つ前記心臓血管系疾患に関連するタンパク質が、肝細胞増殖因子またはアディポネクチンである、請求項１又は２に記載の医薬組成物。
【請求項４】
前記心臓血管系疾患に関連するタンパク質のレベルを低下させ、且つ前記心臓血管系疾患に関連するタンパク質が、カスパーゼ３である、請求項１又は２に記載の医薬組成物。
【請求項５】
前記心臓血管系疾患が、心室リモデリングおよび心臓組織のアポトーシスからなる群から選択される、請求項１又は２に記載の医薬組成物。
【請求項６】
心筋梗塞に起因し且つタンパク質に関連する心臓血管系疾患の進行を抑制するための医薬組成物であって、前記タンパク質に関連する心臓血管系疾患に関連する遺伝子の発現を変えるための有効量のニトロキシド抗酸化剤を含み、且つ前記ニトロキシド抗酸化剤が下記式：
【化５】
2008528704.tif 000005
（式中、Ｘは、Ｏ・及びＯＨから選択され、Ｒは、ＣＯＯＨ、ＣＯＮＨ、ＣＮ、およびＣＨ２ＮＨ２から選択される。）  
【化６】
2008528704.tif 000006
（式中、Ｘは、Ｏ・及びＯＨから選択され、Ｒ１は、ＣＨ３およびスピロシクロヘキシルから選択され、Ｒ２はＣ２Ｈ５およびスピロシクロヘキシルから選択される。）  
【化７】
2008528704.tif 000007
（式中、ＸはＯ・及びＯＨから選択され、ＲはＣＯＮＨから選択される。）、および  
【化８】
2008528704.tif 000008
（式中、ＸはＯ・及びＯＨから選択され、Ｒは、Ｈ、ＯＨ、およびＮＨ２から選択される。）
を有する化合物からなる群から選択される、医薬組成物。
【請求項７】
前記遺伝子の発現を増大させ、且つ前記遺伝子が肝細胞増殖因子またはアディポネクチンである、請求項６に記載の医薬組成物。
【請求項８】
前記遺伝子の発現を低下させ、前記遺伝子がカスパーゼ３である、請求項６に記載の医薬組成物。
【請求項９】
前記タンパク質に関連する心臓血管系疾患が心室リモデリング及び心臓組織のアポトーシスからなる群から選択される、請求項６に記載の医薬組成物。
【請求項１０】
前記ニトロキシド抗酸化剤が、4-ヒドロキシ-2,2,6,6-テトラメチルピペリジン-1-オキシルである、請求項６〜９のいずれか一項に記載の医薬組成物。
【請求項１１】
有効量のニトロキシド抗酸化剤を含む、急性心筋梗塞の治療するための医薬組成物であって、前記ニトロキシド抗酸化剤が下記式：
【化９】
2008528704.tif 000009
（式中、Ｘは、Ｏ・及びＯＨから選択され、Ｒは、ＣＯＯＨ、ＣＯＮＨ、ＣＮ、およびＣＨ２ＮＨ２から選択される。）  
【化１０】
2008528704.tif 000010
（式中、Ｘは、Ｏ・及びＯＨから選択され、Ｒ１は、ＣＨ３およびスピロシクロヘキシルから選択され、Ｒ２はＣ２Ｈ５およびスピロシクロヘキシルから選択される。）  
【化１１】
2008528704.tif 000011
（式中、ＸはＯ・及びＯＨから選択され、ＲはＣＯＮＨから選択される。）、および  
【化１２】
2008528704.tif 000012
（式中、ＸはＯ・及びＯＨから選択され、Ｒは、Ｈ、ＯＨ、およびＮＨ２から選択される。）
を有する化合物からなる群から選択される、医薬組成物。
【請求項１２】
前記ニトロキシド抗酸化剤の量が、心室リモデリングの軽減に関連する少なくとも１種のタンパク質の細胞内レベルを上昇させるための有効量である、請求項１１に記載の医薬組成物。
【請求項１３】
前記心室リモデリングの軽減に関連するタンパク質が肝細胞増殖因子である、請求項１２に記載の医薬組成物。
【請求項１４】
前記医薬組成物が、急性心筋梗塞の発症の２４時間以上後に投与するためのものである、請求項１１〜１３のいずれか一項に記載の医薬組成物。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
有効量のニトロキシド抗酸化剤を含む、１種以上のアミロイドタンパク質の血清レベルを低下させるための医薬組成物。
【請求項２】
前記ニトロキシド抗酸化剤が、4-ヒドロキシ-2,2,6,6-テトラメチルピペリジン-1-オキシルである、請求項１に記載の医薬組成物。
【請求項３】
前記アミロイドタンパク質が、血清アミロイドＰ成分前駆体と血清アミロイドＡ−１タンパク質前駆体とからなる群から選択される、請求項１又は２に記載の医薬組成物。
【請求項４】
アミロイドタンパク質関連疾患に関係する遺伝子の発現を変えるために有効な量のニトロキシド抗酸化剤を含む、アミロイドタンパク質に関連する疾患の進行を抑制するための医薬組成物。
【請求項５】
前記アミロイドタンパク質関連疾患がアルツハイマー病である、請求項４に記載の医薬組成物。
【請求項６】
前記アミロイドタンパク質関連疾患が、関節リウマチ、家族性地中海熱、パーキンソン病、末期腎不全、若年性慢性関節炎、乾癬性関節症、強直性脊椎炎、ベーチェット症候群、反応性関節炎、及びクローン病からなる群から選択される、請求項４に記載の医薬組成物。
【請求項７】
血清アミロイドＰ−成分前駆体、血清アミロイドＡ−１タンパク質前駆体、ＪＡＫ−１、カテプシンＢ、真核生物翻訳開始因子４Ｅメンバー２、シクロオキシゲナーゼ−１、及びカスパーゼ３をコードする遺伝子からなる群から選択される遺伝子の発現レベルを低下させるための、請求項４〜６のいずれか一項に記載の医薬組成物。
【請求項８】
真核生物翻訳開始因子４Ｅ結合タンパク質をコードする遺伝子の発現レベルを増大させるための、請求項４に記載の医薬組成物。
【請求項９】
前記ニトロキシド抗酸化剤が、4-ヒドロキシ-2,2,6,6-テトラメチルピペリジン-1-オキシルである、請求項４〜８のいずれか一項に記載の医薬組成物。
【請求項１０】
アルツハイマーのプラーク形成を阻害するために有効な量のニトロキシド抗酸化剤を含む、アルツハイマー病を治療するための医薬組成物。
【請求項１１】
前記ニトロキシド抗酸化剤が、プラーク形成に関係する少なくとも１種のタンパク質の血清レベルを低下させるために有効な量で含まれ、且つ、プラーク形成に関連する前記タンパク質が、血清アミロイドＰ−成分前駆体、血清アミロイドＡ−１タンパク質前駆体、ＪＡＫ−１、カテプシンＢ、真核生物翻訳開始因子４Ｅメンバー２、シクロオキシゲナーゼ−１、及びカスパーゼ３からなる群から選択される、請求項１０に記載の医薬組成物。
【請求項１２】
前記ニトロキシド抗酸化剤が、プラーク形成に関連する少なくとも１種のタンパク質の血清レベルを上昇させるために有効な量で含まれ、且つ、プラーク形成に関連するタンパク質が、真核生物翻訳開始因子４Ｅ結合タンパク質である、請求項１０に記載の医薬組成物。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
伸長因子−１デルタ、ＡＤＡＭ１２、ペルオキシソーム増殖因子活性化受容体−δ、低酸素症誘起因子アルファサブユニット、スーパーオキシドジスムターゼ２、脱共役タンパク質２、シクロオキシゲナーゼ１、分裂促進因子活性化タンパク質キナーゼキナーゼ５、グルタチオンＳ-トランスフェラーゼＭ３、ＰＥＲＰ、及び脳タンパク質Ｉ３からなる群から選択される、ガンに関連する１つ以上のタンパク質の分子内レベルを変えるための、有効量の4-ヒドロキシ-2,2,6,6-テトラメチルピペリジン-1-オキシルを含む医薬組成物。
【請求項２】
前記ガンに関連するタンパク質が、伸長因子−１デルタ、ＡＤＡＭ１２、ペルオキシソーム増殖因子活性化受容体−δ、低酸素症誘起因子アルファサブユニット、スーパーオキシドジスムターゼ２、脱共役タンパク質２、及びシクロオキシゲナーゼ１からなる群から選択され、前記ガンに関連するタンパク質のレベルが低下される、請求項１に記載の医薬組成物。
【請求項３】
前記ガンに関連するタンパク質が、分裂促進因子活性化タンパク質キナーゼキナーゼ５、グルタチオンＳ-トランスフェラーゼＭ３、ＰＥＲＰ、及び脳タンパク質Ｉ３からなる群から選択され、前記ガンに関連するタンパク質のレベルが増大される、請求項１に記載の医薬組成物。
【請求項４】
前記ガンが、食道ガン、肝細胞ガン、結腸直腸ガン、前立腺ガン、肺ガン、胃ガン、腎細胞ガン、骨ガン、乳ガン、子宮頸ガン、脳腫瘍、及びガン抑制遺伝子ｐ５３に関連するガンからなる群から選択される、請求項１〜３のいずれか一項に記載の医薬組成物。
【請求項５】
伸長因子−１デルタ、ＡＤＡＭ１２、ペルオキシソーム増殖因子活性化受容体−δ、低酸素症誘起因子アルファサブユニット、スーパーオキシドジスムターゼ２、脱共役タンパク質２、シクロオキシゲナーゼ１、分裂促進因子活性化タンパク質キナーゼキナーゼ５、グルタチオンＳ-トランスフェラーゼＭ３、ＰＥＲＰ、及び脳タンパク質Ｉ３からなる群から選択されるタンパク質に関連するガンの進行を抑制するための医薬組成物であって、前記のタンパク質に関連するガンに関連する遺伝子の発現を変えるために有効な量の4-ヒドロキシ-2,2,6,6-テトラメチルピペリジン-1-オキシルを含む医薬組成物。
【請求項６】
前記遺伝子が、伸長因子−１デルタ、ＡＤＡＭ１２、ペルオキシソーム増殖因子活性化受容体−δ、低酸素症誘起因子アルファサブユニット、スーパーオキシドジスムターゼ２、脱共役タンパク質２、及びシクロオキシゲナーゼ１からなる群から選択され、前記遺伝子の発現が低下される、請求項５に記載の医薬組成物。
【請求項７】
前記遺伝子が、分裂促進因子活性化タンパク質キナーゼキナーゼ５、グルタチオンＳ-トランスフェラーゼＭ３、ＰＥＲＰ、及び脳タンパク質Ｉ３からなる群から選択され、前記遺伝子の発現が増大される、請求項５に記載の医薬組成物。
【請求項８】
タンパク質に関連する前記ガンが、食道ガン、肝細胞ガン、結腸直腸ガン、前立腺ガン、肺ガン、胃ガン、腎細胞ガン、骨ガン、乳ガン、子宮頸ガン、脳腫瘍、及びガン抑制遺伝子ｐ５３に関連するガンからなる群から選択される、請求項５に記載の医薬組成物。
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
（ａ）平均直径５０μｍ〜５ｍｍ(重量平均)の範囲の開放気泡型アミノプラスチック発泡体片と、
（ｂ）水と、
（ｃ）少なくとも１種の界面活性剤と、
（ｄ）必要に応じて、油または脂肪相と、
を含むことを特徴とする混合物。
【請求項２】
界面活性剤（ｃ）を無毒性の界面活性剤から選択する、請求項1に記載の混合物。
【請求項３】
混合物が２３℃にて１００〜１０００００mPa.sの動的粘度を有する、請求項1または請求項２に記載の混合物。
【請求項４】
開放気泡型アミノプラスチック発泡体片（ａ）が５〜５００ｋｇ／ｍ3の範囲の密度及び、１μｍ〜１ｍｍの範囲の平均孔径を有するアミノプラスチック発泡体を機械的粉砕することにより作製される、請求項１〜３のいずれか１項に記載の混合物。
【請求項５】
１０質量％以下の少なくとも１種の香料または香気物質（ｅ）を追加して含む、請求項１〜４のいずれか１項に記載の混合物。
【請求項６】
請求項１〜５のいずれか１項に記載の少なくとも１種の混合物を洗剤として使用する表面を洗浄する方法。
【請求項７】
表面が光沢のある物質で形成された表面である、請求項６に記載の方法。
【請求項８】
請求項１〜５のいずれか１項に記載の混合物を洗剤またはシャワー用ジェルとして使用する方法。
【請求項９】
（ａ） 平均直径５０μｍ〜５ｍｍ(重量平均)の範囲の開放気泡型アミノプラスチック発泡体片と、
（ｂ）水と、
（ｃ）少なくとも１種の界面活性剤と、
（ｄ）必要に応じて、油または脂肪相と、
を一緒に混合することを特徴とする請求項１〜５項のいずれか１項に記載の混合物の製造方法。
【請求項１０】
複数の工程で行われる、請求項９に記載の製造方法。
【手続補正書】
【提出日】平成20年10月16日(2008.10.16)
【手続補正１】
【補正対象書類名】明細書
【補正対象項目名】００４０
【補正方法】変更
【補正の内容】
【００４０】
Table２及び図２において示されるように、含酸素ガソリン中にＲＶＰ低下化合物を加えると、混合物の相対吸光度に対して大きな影響を与える。この影響は、異なるＲＶＰ低下化合物によって変動するが、相対吸光度におけるかかる変化は、驚くべきＲＶＰ低下効果を与える成分間の相乗的な相互作用を示す。
【手続補正２】
【補正対象書類名】明細書
【補正対象項目名】００６３
【補正方法】変更
【補正の内容】
【００６３】
［比較例Ｂ］
比較例Ａからの好適な酸素化剤を試験して、比較例Ａの無鉛レギュラーガソリンブレンドストックと配合するためのそれぞれの化合物のＲＶＰ配合値を測定した。ガソリンブレンドストックのＲＶＰは、ＡＳＴＭ  Ｄ５１９１にしたがって測定して５９．５ｋＰａと測定された。それぞれの酸素化剤を、示された容量％でガソリンブレンドストックと配合し、得られた含酸素ガソリンのＲＶＰを同様の方法で測定した。試験した特定の化合物及び用いた材料の容量％を、下Table４に示す。次に、示された容量濃度に関する酸素化剤のＲＶＰ配合値を算出し、結果をTable４に示す。
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
車両経路（１２）と、
前記車両経路（１２）に沿って可動な少なくとも１つの車両（１４）と、
前記車両（１４）の上または中の少なくとも１つの乗り手位置（１６）と、
前記の乗り手位置で、乗り手に知覚刺激効果を与える手段(３４、３６、３８、４０、４２)を含む、前記車両（１４）上の乗り手知覚刺激システム（３０）と
を備える娯楽用乗り物。
【請求項２】
前記与える手段を作動するために前記車両上に電源をさらに備える、請求項１記載の娯楽用乗り物。
【請求項３】
前記車両が、車台と、前記車台上の移動ベースと、キャビン内に前記乗り手位置を有する前記移動ベース上の前記キャビンとを備える、請求項１記載の娯楽用乗り物。
【請求項４】
前記与える手段が、前記知覚刺激効果の供給媒体に接続可能であり、前記供給媒体が、前記車両経路に沿った前記車両の車外に配置される、請求項１記載の娯楽用乗り物。
【請求項５】
前記乗り手知覚刺激システムが、前記乗り手位置で乗り手に接触するように可動な接触部材（３４）に接続可能な圧縮空気の供給源（３８）を備える、請求項１記載の娯楽用乗り物。
【請求項６】
前記接触部材（３４）が、乗り手の足に接触するように前記車両に配置される１つまたは複数の可撓性部材（２８）を備える、請求項５記載の娯楽用乗り物。
【請求項７】
前記知覚刺激システムが、少なくとも１つの効果装置と、
前記効果装置に電力を供給する車載型電源とを含む、請求項１記載の娯楽用乗り物。
【請求項８】
前記効果装置が、煙または霧装置、流体の流動または噴霧装置、香気の流動または噴霧装置および聴覚効果装置のうち１つを備える、請求項７記載の娯楽用乗り物。
【請求項９】
車両経路（１２）と、
前記車両経路（１２）に沿って可動な少なくとも１つの車両（１４）と、
前記車両（１４）の上または中の少なくとも１つの乗り手位置（１６）と、
前記の乗り手位置で、乗り手に知覚刺激効果を与える手段(３４、３６、３８、４０、４２)を含む、前記車両（１４）上の乗り手知覚刺激システム（３０）と
を備え、前記与える手段が、前記知覚刺激効果の供給媒体に接続可能であり、前記供給媒体が、前記車両経路に沿った前記車両の車外に配置される、娯楽用乗り物。
【請求項１０】
前記与える手段が、前記乗り手位置（１６）で乗り手に接触するように可動な接触部材（３４）を有する、前記車両上の乗り手接触システムを備える、請求項１または９記載の娯楽用乗り物。
【請求項１１】
前記経路に沿った前記車両の位置、または乗車の間の所定の時間に協調した時限式シーケンスで前記与える手段を作動させるために、前記乗り手知覚刺激システムに連結した制御システムを備える、請求項１または９記載の娯楽用乗り物。
【手続補正書】
【提出日】平成20年7月14日(2008.7.14)
【手続補正１】
【補正対象書類名】特許請求の範囲
【補正対象項目名】請求項１２
【補正方法】変更
【補正の内容】
【請求項１２】
請求項１の往復シリンジにおいて、前記第１のプランジャが前記フレームのロック機構（６０６）に係合する形状を有しており、このロック機構により前記プランジャの動きが、（ａ）前記第１のバレルに関して内側へ、（ｂ）前記第１のバレルに関して外側へ、のいずれか１以上において実質的に妨げられることを特徴とする往復シリンジ。
【手続補正２】
【補正対象書類名】明細書
【補正対象項目名】００３１
【補正方法】変更
【補正の内容】
【００３１】
この問題の解決策が図３に示されている。往復シリンジ３０１の指フランジを通る断面図は、主バレル３０２と、補助バレル３０３と、プーリ３０４と、駆動ライン３０６とを示している。静的あるいは動的プーリ３０４が、主バレル３０２と補助バレル３０３の接合点に設けられている。このプーリは、従来型バレルの表面であって、バレル成型時またはバレルを包含するフレームにより形成される平滑な接触面３０７であり、溝３０８あるいは同じ目的の隆起と溝３０９によりにより駆動ラインの位置を制御する。事前の構成では、プーリは、本来のバレル壁部の高さ３０５かそれより上である。駆動ラインが緩んだ状態では、駆動ラインはプーリから外れ、その後駆動ラインにテンションを掛けても正しい再配置に失敗する。
【手続補正書】
【提出日】平成20年10月6日(2008.10.6)
【手続補正１】
【補正対象書類名】明細書
【補正対象項目名】００１６
【補正方法】変更
【補正の内容】
【００１６】
本発明は、長手軸を有すると共に、第１の前進（アドバンシング：advancing）技法を可能ならしめるのに適合した第１アドバンサー部分と、少なくとも第２の前進技法を可能ならしめるのに適合した第２アドバンサー部分と、を有する本体部を備えたガイドワイヤ・アドバンサーに係るものである。第１部分は、ガイドワイヤが大きな開口を横切って伸長するときに当該ガイドワイヤを露出させる大きな開口部を設けることにより、ユーザが、ワイヤと直接に摩擦を伴って係合するように、親指と他の指の一つとを使って前記ガイドワイヤを前記長手軸に沿って前進させることができるようにするのに適合している。第２部分は、前記ガイドワイヤを前進させるときに、ユーザが、前記ガイドワイヤと直接に摩擦を伴って係合するように、親指または他の１本の指だけを使って、当該ガイドワイヤを前記長手軸に沿って前進させることができるようにするのに適合しており、また、前記ガイドワイヤを前進させるときに、前記ガイドワイヤを当該第２部分のプラットフォームに対して付勢するのに適合している。第１部分および第２部分のうちより遠位の部分は、好ましくはフラストコニカル状のである遠位端部を備えている。随意的には、前記第１部分と前記第２部分は前記長手軸回りに独立して回転可能である。
【手続補正２】
【補正対象書類名】明細書
【補正対象項目名】００２４
【補正方法】変更
【補正の内容】
【００２４】
用いられるイントロデューサ装置は多様であり、当該技術分野で多くのものが知られている。前記イントロデューサ装置は従来のイントロデューサであってもよく、或いは、カテーテル及び／又はそれ自体がイントロデューサの役割を果たすカテーテル接続具（フィッティング：fitting）内へ直接に送給するためにアドバンサーを用いてもよい。このように、ここで用いられる「イントロデューサ装置」は、アドバンサー１０２とガイドワイヤ１０２を受容する患者の血管あるいは腔との間に介在するものであれば、如何なる装置をも含むものである。例えば、イントロデューサ装置は、近位側の結合具（カップリング：coupling）又は他の接続具（フィッティング：fitting）を有し、吸引用のシリンジを分離した後に患者内に遠位側に挿入されたまま残る針であってもよいし、或いは、患者内に挿入される針先と、シリンジ本体、若しくは針に結合された他の近位側の取付具（アッタチメント：attachment）を有する、カテーテル・イントロデューサ・シリンジのような装置であってもよい。その代わりに、前記イントロデューサ装置は、米国特許第６，２７７，１００号明細書に開示されているように、ペンシルベニア州ハーレイスビルのメデイカルコンポーネンツ社によって販売されているローラーソンワンステップ（RAULERSON ONE-STEP（登録商標））・イントロデューサ・バルブ（introducer bulb：不図示）であってもよい。そのようなシリンジ或いは類似のデバイス（device）がイントロデューサ装置として用いられる場合、前記アドバンサー１０２を挿入させる近位開口部は、一般に、シリンジ本体の近位端部または他の近位側の針アタッチメントに位置することになる。イントロデューサ装置が針である場合には、アドバンサー１０２の先端を挿入させる開口は、吸引用のシリンジが取り外された後の、針のカップリング又は近位端部の他のフィッティングであろう。
【手続補正３】
【補正対象書類名】明細書
【補正対象項目名】００４３
【補正方法】変更
【補正の内容】
【００４３】
図５及び図６を参照すれば、イントロデューサ１０２が中央部分１１９に沿って保持されることが好ましい。中央部分１１９を通じたガイドワイヤ１０７の操作と送りのために、ユーザの一方の手を用い、ユーザの親指と他の一指、好ましくは人差し指とが使用される。
・イントロデューサ装置２００を安定させるために、他方の手を用いて、ユーザは好ましくはイントロデューサ装置２００を保持する。或る好ましい方法によればアドバンサー１０２の先端部１２０は、図５に示すように、既に患者内に挿入されているイントロデューサ装置２００の近位端部に挿入される。前記好ましい方法では、前記で詳しく説明したような、貯留チューブ１０４及びガイドワイヤ１０７を有するアドバンサー１０２又は組立体１００が、好ましくは用いられる。ガイドワイヤ１０７の湾曲した遠位端部１０７ａは、遠位部分１１０の遠位端部１１８から既に伸長しており、イントロデューサ装置２００の管腔２０２内に挿入されるに先立って真っ直ぐに矯正されなければならない。このように真っ直ぐに矯正することは、従来のアドバンサーで行われることが知られているように、Ｊ字形状の先端がアドバンサーの先端部１２０内に引き込まれ該先端部内で真っ直ぐになるように、単に、ガイドワイヤを近位側に移動させることによって成し遂げられる。一旦、先端部１０７ａが管腔２０２内に挿入されると、ユーザは、自身の親指と他の一指、好ましくは人差し指とを用いて、ワイヤ１０７をしっかりと掴み制御可能に送給する。このようにしてワイヤ１０７が中央部分１５４を通って移動し、図６における矢印「Ｂ」の方向へ、アドバンサー１０２を通ってその外へ押し出される。
【手続補正書】
【提出日】平成20年9月5日(2008.9.5)
【手続補正１】
【補正対象書類名】特許請求の範囲
【補正対象項目名】請求項１
【補正方法】変更
【補正の内容】
【請求項１】
触媒活性の成分としてルテニウム、ロジウム、ニッケル、及びコバルトからなる群から選択される少なくとも１種の元素、及び炭素ベースの担体材料を含む触媒活性組成物の一酸化炭素の選択メタン化のための使用方法。
【手続補正２】
【補正対象書類名】特許請求の範囲
【補正対象項目名】請求項２
【補正方法】変更
【補正の内容】
【請求項２】
前記触媒活性の成分及び／又は前記担体材料に、
鉄、ニオビウム、マンガン、モリブデン、及びジルコニウムからなる群から選択される少なくとも１種の元素を添加したことを特徴とする請求項１に記載の使用方法。
【手続補正３】
【補正対象書類名】特許請求の範囲
【補正対象項目名】請求項６
【補正方法】変更
【補正の内容】
【請求項６】
広い温度域における一酸化炭素の選択メタン化方法であって、ルテニウム、ロジウム、ニッケル及びコバルトからなる群から選択される少なくとも１種の要素を活性成分として含む触媒活性成分と、炭素ベースの担体材料と、鉄、ニオビウム、マンガン、モリブデン、及びジルコニウムからなる群から選択される少なくとも１種の添加元素と、が使用されたことを特徴とする方法。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
糖尿病に関連する１種以上のタンパク質の細胞内レベルを上昇させるための、有効量のニトロキシド抗酸化剤を含む医薬組成物。
【請求項２】
前記糖尿病に関連するタンパク質が、ケラチノサイト増殖因子及びアディポネクチンからなる群から選択される、請求項１に記載の医薬組成物。
【請求項３】
前記ニトロキシド抗酸化剤が、4-ヒドロキシ-2,2,6,6-テトラメチルピペリジン-1-オキシルである、請求項１又は２に記載の医薬組成物。
【請求項４】
タンパク質に関連する糖尿病に関連する遺伝子の発現を増大させることにより、タンパク質に関連する糖尿病の進行を抑制するための、有効量のニトロキシド抗酸化剤を含む医薬組成物。
【請求項５】
前記遺伝子が、ケラチノサイト増殖因子及びアディポネクチンからなる群から選択される、請求項４に記載の医薬組成物。
【請求項６】
前記ニトロキシド抗酸化剤が、4-ヒドロキシ-2,2,6,6-テトラメチルピペリジン-1-オキシルである、請求項４又は５に記載の医薬組成物。
【請求項７】
膵臓β細胞の増殖を増大させるかあるいはインシュリン抵抗性を改善することによって糖尿病を治療するための、有効量のニトロキシド抗酸化剤を含む医薬組成物。
【請求項８】
前記ニトロキシド抗酸化剤の量が、膵臓β細胞の増殖の増大に関連する少なくとも１種のタンパク質の細胞内レベルを上昇させるための有効量である、請求項７に記載の医薬組成物。
【請求項９】
前記タンパク質がケラチノサイト増殖因子である、請求項８に記載の医薬組成物。
【請求項１０】
前記ニトロキシド抗酸化剤の量が、インシュリン抵抗性の改善に関連する少なくとも１種のタンパク質の細胞内レベルを上昇させるための有効量である、請求項７に記載の医薬組成物。
【請求項１１】
前記タンパク質がアディポネクチンである、請求項１０に記載の医薬組成物。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
所定の表面上にカーボン・ナノチューブを選択的に配置する方法であって、
基板の金属酸化物の上表面に自己形成の単分子層を選択的に配置するステップと、
拡散液から、前記自己形成の単分子層上にまたは前記自己形成の単分子層を含まない前記基板の表面上に、カーボン・ナノチューブを付着するステップと、
前記基板から余分なカーボン・ナノチューブを取り除くステップと
を含む、方法。
【請求項２】
前記基板はパターン化されてない金属酸化物から構成される、請求項１に記載の方法。
【請求項３】
前記自己形成の単分子層を選択的に配置するステップは、前記自己形成の単分子層のパターンを含むスタンプを提供するステップおよび前記自己形成の単分子層のパターンを前記金属酸化物に転写するステップを含む、請求項２に記載の方法。
【請求項４】
前記カーボン・ナノチューブを付着するステップは、前記自己形成の単分子層によってスタンプされない前記金属酸化物の領域上で生じる、請求項３に記載の方法。
【請求項５】
前記カーボン・ナノチューブを付着するステップは、前記カーボン・ナノチューブを含む拡散液を使用して行われる、請求項５に記載の方法。
【請求項６】
前記拡散液は有機溶剤または水性溶媒および界面活性剤を含む、請求項５に記載の方法。
【請求項７】
前記金属酸化物の上側表面は、前記基板上に設けられたパターン化された金属酸化物を含む、請求項１に記載の方法。
【請求項８】
前記自己形成の単分子層を選択的に配置するステップは、自己形成の単分子層前駆体を含む溶液を使用して行われる、請求項７に記載の方法。
【請求項９】
前記カーボン・ナノチューブを付着するステップは、前記自己形成の単分子層を含まない前記基板の領域上で生じる、請求項８に記載の方法。
【請求項１０】
前記カーボン・ナノチューブを付着するステップは、前記カーボン・ナノチューブを含む拡散液を使用して行われる、請求項９に記載の方法。
【請求項１１】
前記拡散液は有機溶剤または水性溶媒および界面活性剤を含む、請求項１０に記載の方法。
【請求項１２】
所定の表面上にカーボン・ナノチューブを選択的に配置する方法であって、
マイクロコンタクト・プリンティングを使って、自己形成の単分子層を含むパターン化されたスタンプから金属酸化物上に自己形成の単分子層を選択的に配置するステップと、
拡散液から、前記自己形成の単分子層を含まない基板上に、カーボン・ナノチューブを付着するステップと、
前記基板から余分なカーボン・ナノチューブを取り除くステップと
を含む、方法。
【請求項１３】
所定の表面上にカーボン・ナノチューブを選択的に配置する方法であって、
基板の表面を露出する少なくとも１つの開口部を含むパターン化された金属酸化物上に自己形成の単分子層を選択的に配置するステップと、
拡散液から、前記自己形成の単分子層上にまたは前記自己形成の単分子層を含まない前記基板の表面上に、カーボン・ナノチューブを付着するステップと、
前記基板から余分なカーボン・ナノチューブを取り除くステップと
を含む、方法。